(57)【要約】  本発明は乗員拘束システムのエアバッグ装置に関し、エアバッグ装置は、第１部分及び第２部分を有する少なくとも１つの膨張可能なチャンバを含むエアバッグと；第１部分及び第２部分が互いに角度をもって延出するように、第１部分及び第２部分を互いに接続する少なくとも１つの接続要素とを含む。第１部分及び第２部分は、エアバッグの装着及び膨張状態に基づき、車体高方向及び車体長方向によって画定された平面に対して少なくともほぼ平行に延出する。接続要素は保護される乗員から離れて対面するエアバッグの側部において延出し、かつ、車両の前方に向く。エアバッグ装置は乗員又は車両の後方座席に位置する乗員の上半身及び／又は頭部の保護のために配置及び形成される。
2015522482.tif 000002
【特許請求の範囲】
【請求項１】
乗員拘束システムのエアバッグ装置を有する車両であって、前記エアバッグ装置は、
第１部分及び第２部分を有する少なくとも１つの膨張可能なチャンバを含むエアバッグと、
前記第１部分及び前記第２部分が互いに角度をもって延出するように、前記第１部分及び前記第２部分を互いに接続する少なくとも１つの接続要素と、
を含み、
前記第１部分及び前記第２部分は、前記エアバッグの装着状態及び膨張状態に基づき、車体高方向及び車体長方向によって画定された平面に対して少なくともほぼ平行に延出し、
前記接続要素は保護される乗員から離れて対面する前記エアバッグの側部において延出し、かつ、前記車両の前方に向き、
前記エアバッグ装置は前記乗員又は前記車両の後方座席に位置する前記乗員の上半身及び／又は頭部の保護のために配置及び形成される、
車両。
【請求項２】
前記エアバッグの前記第１部分及び前記第２部分は、膨張した前記エアバッグにおいて、前記車両の前方走行方向に対して互いに向かって延出する、請求項１に記載の車両。
【請求項３】
前記エアバッグの前記膨張可能なチャンバは、長方形状に形成される、請求項１又は２に記載の車両。
【請求項４】
前記第１部分及び前記第２部分は、湾曲又は屈曲した接続部を介して互いに接続される、請求項１から３のいずれか一項に記載の車両。
【請求項５】
前記接続部は、前記エアバッグの湾曲又は屈曲した外側を形成し、前記外側は、前記エアバッグの前記装着状態及び前記膨張状態において、保護される前記乗員と対面する、請求項４に記載の車両。
【請求項６】
前記接続部は、前記乗員から離れる追加的な膨張可能な領域を含み、前記追加的な膨張可能な領域は前記接続要素を形成する、請求項４又は５に記載の車両。
【請求項７】
前記エアバッグの前記膨張可能なチャンバは、車体幅方向において見られるように、Ｕ字形状又はＶ字形状の構成を有する、請求項１から６のいずれか一項に記載の車両。
【請求項８】
前記エアバッグの複数の前記膨張可能なチャンバを特徴とし、複数の前記膨張可能なチャンバの各々は、第１部分及び第２部分が互いに角度をもって延出すように、１つの接続要素又はいくつかの接続要素を介して互いに接続される前記第１部分及び前記第２部分を含む、請求項１から７のいずれか一項に記載の車両。
【請求項９】
前記エアバッグ装置の前記接続要素は、前記エアバッグ装置の前記装着状態において、車体高方向に延出するストラップの形状で形成される、請求項１から８いずれか一項に記載の車両。
【請求項１０】
互いに間隔を隔てた２つの接続要素が前記膨張可能なチャンバのうちの少なくとも１つと関連し、前記２つの接続要素は、車体長方向において見られるように、前後に配置される、請求項９に記載の車両。
【請求項１１】
前記膨張状態において、前記エアバッグは前記車両の少なくとも１つの前方の座席の背もたれの後方に延出する、請求項１から１０のいずれか一項に記載の車両。
【請求項１２】
前記エアバッグ装置の前記エアバッグは、前記膨張状態において、前記エアバッグが車両内部構造物において支えられるように配置される、請求項１から１１のいずれか一項に記載の車両。
【請求項１３】
前記エアバッグは、前記車両のルーフの中又は上、あるいは車両座席の前記背もたれの中に配置される、請求項１から１２のいずれか一項に記載の車両。
【請求項１４】
前記エアバッグの前記膨張状態において、前記膨張可能なチャンバの前記第１部分の端部が、前記車両の前記ルーフの中又は上に配置される、請求項１から１３のいずれか一項に記載の車両。
【請求項１５】
前記膨張状態において、前記エアバッグは、前記膨張可能なチャンバの前記第１部分の前記端部と共に、前記車両の前記ルーフの中又は上に位置する構造物において支えられ、かつ、前記膨張可能なチャンバの前記第２部分の端部と共に他の車両内部構造物において支えられる、請求項１４に記載の車両。
【発明の詳細な説明】
【技術分野】
【０００１】
本発明は請求項１の前提部分に従った、乗員拘束システムのエアバッグ装置を有する車両に関する。
【背景技術】
【０００２】
従来技術から、特に前面衝突時に乗員を保護するガスバッグ又はエアバッグが知られている。例えば、英国特許出願公開第９５３３１２Ａ号明細書は、展開状態において、乗員と乗員の前に配置された座席の背もたれとの間の完備した空間を埋めるエアバッグを有するエアバッグモジュールを開示している。従って、エアバッグは適切な大きさを有するガス発生器を介して埋めることができるだけの大きな体積を有する。ガス発生器及びエアバッグを車両に収容するために、それに応じた寸法の収納空間が必要であり、これが車両内のエアバッグモジュールの収容を複雑にする。
【発明の概要】
【０００３】
本発明の基本的な課題は、前面衝突時に最良の保護を与え、それでもなお、車両に収納するための最小限の収納空間を必要とするエアバッグを有するエアバッグ装置を備えた車両を提供することである。
【０００４】
この課題は、請求項１に従った特徴を有するエアバッグ装置を備えた車両を提供することで解決される。発明の発展部分は従属請求項に記載される。
【０００５】
従って、乗員拘束システムのエアバッグ装置を有する車両を作り出す。エアバッグ装置は、第１部分及び第２部分を有する少なくとも１つの膨張可能なチャンバを含むエアバッグと；第１部分及び第２部分が互いに角度をもって（斜め又は垂直に）延出するように、第１部分及び第２部分を互いに接続させる少なくとも１つの接続要素とを含む。第１部分及び第２部分は、エアバッグの装着及び膨張状態に基づき、車体高方向及び車体長方向によって画定された平面に対して少なくともほぼ平行に延出する。接続要素は保護される乗員から離れて対面するエアバッグの側部において延出し、かつ、車両の前方に向く。エアバッグ装置は、乗員又は車両の後方座席に位置する乗員の上半身及び／又は頭部の保護のために配置及び形成される。
【０００６】
エアバッグは、前面衝突時に保護を提供する従来型のエアバッグと比較すると少量の体積を有するが、互いに角度をもって延出するエアバッグの２つの部分によって、前面衝突時にも良好な抑制効果が達成される。エアバッグ装置は、乗員又は車両の後方座席に位置する乗員の保護に役立つ。エアバッグの膨張可能なチャンバは、例えば車両内部構造物の一部（例えば、インストルメントパネル又は前方座席の背もたれなど）において支えられるが、膨張状態では、車両内部構造物と保護される乗員との間の体積を完全に埋めることはない。
【０００７】
例えば、特に、膨張したエアバッグが支えられる車両内部構造物に対面する第１部分の端部と第２部分の端部との間の距離が、乗員に対面するエアバッグ側における第１部分と第２部分との間の距離よりも大きいように、膨張したエアバッグにおいて、膨張可能なチャンバの第１部分及び第２部分は、車両の前方走行方向に対して互いに向かって延出する。
【０００８】
例えば、車体高方向に沿って延出するストラップの形状で形成される接続要素、あるいは他の膨張不可能な要素は、空間を埋めている間に膨張可能なチャンバが伸長するのを防ぎ、かつ、特に、曲がった状態又は屈曲状態において膨張可能なチャンバを保持する。接続要素は引き離され、第１部分及び第２部分の端部によって伸長される。これにより、膨張したエアバッグは、湾曲又は屈曲した接続部を取得し、この接続部を介して、膨張可能なチャンバの第１部分及び第２部分は互いに接続される。湾曲又は屈曲した接続部は、特にエアバッグの膨張状態で保護される乗員と対面する。つまり、接続部はエアバッグの外側の湾曲又は屈曲した部分的な領域を形成し、この領域は乗員と対面する。これにより、前面衝突時に、乗員は、特にまず接続部に衝突する。例えば、これにより、膨張可能なチャンバは、車体幅方向に沿って見られるように、Ｕ字形状又はＶ字形状を得る。
【０００９】
加えて、接続部は乗員から離れた追加的な膨張可能な領域（例えば、バルジの形状）を含むことができる。この領域は、接続要素を形成し、かつ、例えばエアバッグを安定させるためにも役立つ。追加的な膨張可能な領域は特に、乗員から離れた（例えば、湾曲した）外側を有する。また、チャンバの第１部分及び第２部分の角度付き経路を作り出すために、追加的な膨張可能な領域が唯一の接続要素として提供されることも考えられる。
【００１０】
接続要素は特に、車体高方向に沿って延出する。また、エアバッグは、各々が膨張可能なチャンバの第１部分及び第２部分と互いに接続するいくつかの接続要素を含むことも考えられる。例えば、車体長方向に沿って見られるように、接続要素は前後に配置される。
【００１１】
また、本発明に従った車両のエアバッグは、例えば少なくとも互いにほぼ平行に延出する複数の膨張可能なチャンバを備えることも考えられる。複数の膨張可能なチャンバはそれぞれ、第１部分及び第２部分を含み、第１部分及び第２部分の各々は、第１部分及び第２部分が互いに角度をもって延出するよう、１つの接続要素又はいくつかの接続要素を介して互いに接続される。例えば、少なくとも１つの接続要素が各膨張可能なチャンバと関連する。しかし、接続要素はいくつかの膨張可能なチャンバにわたって、あるいはいくつかの膨張可能なチャンバの間に延出することも可能であり、これによって、いくつかの膨張可能なチャンバの第１部分及び第２部分を互いに接続させる。
【００１２】
例えば、エアバッグは２つの（例えば、長方形の）エアバッグ層から形成され、いくつかの膨張可能なチャンバは、例えば、２つのエアバッグ層を互いに接続させる、対応する継目（ｓｅａｍｓ）（ダーツ（ｄａｒｔｓ））によって、互いに区切られる。継目の少なくとも一部と、膨張可能なチャンバの少なくとも一部は、互いに平行に延出することができる。しかし、継目の少なくとも一部は、他の継目に対して斜めに配向されることも可能である。
【００１３】
膨張状態において、エアバッグは少なくとも１つの前方の座席の背もたれの後方に延出することができ、つまり、エアバッグ装置は車両の後方座席に位置する乗員の保護に役立つ。特に、膨張したエアバッグの少なくとも一部は、前方の座席の背もたれと乗員の上半身及び／又は頭部との間に位置する。
【００１４】
しかし、エアバッグ装置は、乗員の保護と後方座席に位置する乗員の保護の両方のために形成され得る。双方の場合、エアバッグ装置は車両のルーフの中又は上に配置され得る。エアバッグ装置が車両の後方座席に座る乗員を保護する機能を果たす場合、背もたれ（特に、背もたれの中間部分）に収容することもできる。
【００１５】
また、エアバッグの膨張状態において、膨張可能なチャンバの第１部分の端部は、車両のルーフの中又は上に配置され、例えばルーフの中又はルーフ上に固定されるか、あるいはルーフの中又は上に位置するエアバッグ装置のモジュールハウジングの一部に固定されることが考えられる。モジュールハウジングには非膨張エアバッグが配置される。
【００１６】
加えて、エアバッグは、膨張状態において、エアバッグが車両内部構造物（例えば、インストルメントパネル又は前方の座席の背もたれ）において支えられるように、配置され得る。例えば、膨張したエアバッグは、接続要素を介して車両内部構造物において支えられる。特に、膨張状態において、エアバッグは、膨張可能なチャンバの第１部分の端部と共に車両のルーフの中又は上に位置する構造物において支えられ、かつ、膨張可能なチャンバの第２部分の端部と共に他の車両内部構造物（例えば、上述のインストルメントパネル又は前方の座席の背もたれ）において支えられ得る。
【００１７】
本発明は、図面を参照して、例示的な実施形態を用いて以下に詳細に説明される。
【図面の簡単な説明】
【００１８】
【図１】本発明の第１の例示的な実施形態に従った車両のエアバッグ装置の斜視図である。
【図２】他の見方における図１のエアバッグ装置のエアバッグを示す図である。
【図３】本発明の第２の例示的な実施形態に従った車両のエアバッグ装置を示す図である。
【図４】本発明の第３の例示的な実施形態に従った車両のエアバッグ装置を示す図である。
【図５】本発明の第４の例示的な実施形態に従った車両のエアバッグ装置を示す図である。
【発明を実施するための形態】
【００１９】
図１は、膨張状態におけるエアバッグ１を有する本発明に従った車両のエアバッグ装置を示す。これは、後方座席３１に位置する乗員２の保護に役立つ。そのため、エアバッグ１は車両の座席３の背もたれと保護される乗員２との間に延出する。起動（膨張）前、エアバッグ１はモジュールハウジング４に位置し、モジュールハウジング４には、エアバッグ１を膨張させるためのガス発生器４１も収容される。モジュールハウジング４は、車両のルーフ１０の上又は中に配置され、そして膨張する前に、車両内部に向かうエアバッグ１で少なくとも部分的に覆われる。
【００２０】
エアバッグ１は複数の膨張可能なチャンバ１１を含む。複数の膨張可能なチャンバ１１の各々は、膨張可能な第１（上方）部分１１１及び膨張可能な第２（下方）部分１１２を含む。車体幅方向における外側の膨張可能なチャンバ１１の第１部分１１１及び第２部分１１２は、外側テンションストラップ５１及び内側テンションストラップ５２の形状の２つの接続要素（スペーサー要素）を介して互いに接続される。外側テンションストラップ５１及び内側テンションストラップ５２は、第１部分１１１及び第２部分１１２が所定の範囲を超えて互いに離れて移動することを防ぎ、これによって、膨張可能なチャンバ１１は、ほぼその中央部の高さにおいて屈曲（湾曲）される。そして、エアバッグの図示された膨張状態において、第１部分１１１及び第２部分１１２は互いに角度をもって延出する。つまり、第１部分１１１及び第２部分１１２はそれぞれ、角度（例えば、鋭角又は鈍角）を含む。
【００２１】
これに対応して、第１部分１１１及び第２部分１１２は、湾曲した接続部（湾曲部１１３）を介して、エアバッグ１のほぼ中央部で互いに接続される（車体高方向ｚに基づく）。前後に配置された（車体幅方向ｙ）膨張可能なチャンバ１１の湾曲部１１３は、一緒にエアバッグ１の中間領域（車体高方向ｚに基づく）及び乗員２に対面するエアバッグ１の湾曲した外側を形成する。
【００２２】
第１部分１１１及び第２部分１１２も、それぞれ車体長方向ｘに対して角度をもって延出する。つまり、乗員２から離れて対面するそれらの端部１１１１及び１１２１の領域において、第１部分１１１及び第２部分１１２は互いに最大の距離を有し、前方走行方向に対して互いに向かって延出する。上方部分１１１の端部１１１１を介して、エアバッグ１はモジュールハウジング４に固定され、端部１１１１を介して埋められる。また、図１に示すように、ガス発生器４１は少なくとも部分的に上方部分１１１の（接続された）端部１１１１に配置されることも考えられる。
【００２３】
加えて、実質的に一直線状及びチューブ状に延出する膨張可能なチャンバ１１の第１部分１１１及び第２部分１１２がそれぞれ、少なくとも車体高方向ｚ及び車体長方向ｘによって画定された面に少なくともほぼ延出するか、あるいは車体高方向ｚ及び車体長方向ｘによって画定された面と少なくともほぼ平行に延出するように、エアバッグ１は配向される。外側テンションストラップ５１は、車体高方向ｚに沿って、座席３の背もたれとエアバッグ１との間の乗員２から離れて対面するエアバッグ１の側部に延出する。これにより、湾曲部１１３は乗員２に対面し、前面衝突時、乗員２は、湾曲部１１３の領域においてエアバッグ１にまず衝突する。更に、外側テンションストラップ５１及び内側テンションストラップ５２は、車体高方向ｚ及び車体幅方向ｙを通って配向された面と平行して延出するようにそれぞれ並べられる。
【００２４】
車体長方向ｘに沿って見られるように、１つの膨張可能なチャンバ１１又は２つの隣接する膨張可能なチャンバ１１と関連した外側テンションストラップ５１及び内側テンションストラップ５２は、それぞれ前後に配置される。外側テンションストラップ５１、つまり前方の座席３のより近くに位置するテンションストラップはそれぞれ、各膨張可能なチャンバ１１の第１部分１１１の端部１１１１及び第２部分１１２の端部１１２１と接続される。更なる内側テンションストラップ５２は、更に内側に、つまり第１部分１１１の端部１１１１及び第２部分１１２の端部１１２１から距離を隔てて配置され、かつ、外側テンションストラップ５１より短い。これにより、図１（車体幅軸ｙに沿った側面図）に見られるエアバッグ１の三角形を得ることができる（図１に図示した理想形）。
【００２５】
エアバッグ１を有するエアバッグ装置は、膨張したエアバッグ１が車両の座席３の背もたれにおいて支えられるように、車両内に置かれる。エアバッグ１への乗員２の衝突時、背もたれは意図された保護位置においてエアバッグをできる限り保持するアバットメント（ａｂｕｔｍｅｎｔ）を形成することができる。特に、エアバッグ１は下方部分１１２（あるいは、下方部分１１２の端部１１２１）及び外側テンションストラップ５１を介して、背もたれにおいて支えられ得る。湾曲部１１３と外側テンションストラップ５１との間の車体長方向ｘにおける距離は、前面衝突時、乗員２と支持体として機能する車両内部の構成要素（本例においては、前方の座席３の背もたれ）との間のエアバッグ１によって埋められ得る距離にほぼ対応する。
【００２６】
車体長方向ｘに沿った膨らんだエアバッグの展開に依存して、つまり、第１部分１１１の端部１１１１及び第２部分１１２の端部１１２１と外側テンションストラップ５１に対する湾曲部１１３の距離に依存して、前方走行方向において乗員２の前方移動が開始された直後、あるいは前方移動の開始前に、乗員２とエアバッグ１の接触が行われる。
【００２７】
最後に言及した場合において、車体長方向におけるエアバッグの展開は、保護される乗員と前方の座席３の背もたれとの間を埋める距離よりも大きい。これにより、乗員が前方移動する前に既に、座席３の背もたれと膨張可能なチャンバ１１の下方部分１１２の端部１１２１及び外側テンションストラップ５１との間で接触を行うこともできる。
【００２８】
第１部分１１１及び第２部分１１２を互いに離すことが、エアバッグ１への乗員２の侵入の増加と共に、より強力に張力を加えられた外側テンションストラップ５１及び内側テンションストラップ５２によって抑制される。乗員２がエアバッグ１に侵入する更なる過程において、湾曲部１１３、エアバッグ１の隣接部及び内側テンションストラップ５２は、乗員２によって更に車両の座席３の背もたれの方向に移動される。わずかな侵入の深さから、内側テンションストラップ５２と外側テンションストラップ５１との間に接触が行われる。上述のように、外側テンションストラップ５１は同様に、前方の座席３の背もたれにおいて支えられ得る。
【００２９】
図１に示したエアバッグ１は、互いに平行に延出する４つの膨張可能なチャンバ１１を含み、各々は継目によって互い区切られる。もちろん、エアバッグ１がおおよそ４つの膨張可能なチャンバを備えることも考えられる。また、エアバッグ１は本発明の範囲内にあり、多少のテンションストラップを使用する。テンションストラップとは、例えば、車体長方向ｘにおいて膨張可能なチャンバに関連する唯一のテンションストラップであり、例えば膨張可能なチャンバ１１の第１部分１１１の端部１１１１及び第２部分１１２の端部１１２１とそれぞれ接続する外側テンションストラップ５１がある。
【００３０】
それ故、内側テンションストラップ５２は、エアバッグ１を更に安定させるための単に任意のものであり、従って、前面衝突時に乗員２の可能な限り最良な拘束を確実にする。これは、車体長方向ｘにおいて見られるように、特に湾曲部１１３、つまり保護される乗員に対面するエアバッグ１の側部と外側テンションストラップ５１との間の距離が大きいときに必要になる。
【００３１】
図１に図示されたエアバッグを乗員保護のために取り付けることも可能である。例えば、従来型の乗員エアバッグモジュールの代わりのエアバッグ装置は、インストルメントパネルに、あるいは同様に車両のルーフの中に収容される。特に、図１に示されたエアバッグのようないくつかのエアバッグは、例えば乗員及び後方座席に位置する人物の保護のために、当然ながら車両内にも提供され得る。
【００３２】
図２は、展開状態と同様に、他の斜視図における図１のエアバッグを示す。例えば、ガス発生器のための吹き込み領域、あるいは継目の形状（ｓｅａｍ  ｃｏｎｔｏｕｒ）などの詳細説明は、明確化のため省略する。上述のように、エアバッグ１は互いに平行に並べられたいくつかのチューブ状の膨張可能なチャンバ１１から構成される。膨張可能なチャンバ１１は、車体幅方向ｙにおいて前後に配置される。膨張可能なチャンバ１１は、例えば上方部分１１１の端部１１１１及び／又は下方部分１１２の端部１１２１を介して互いに流体接続される。
【００３３】
例えば、エアバッグ１は、周継目（ｃｉｒｃｕｍｆｅｒｅｎｔｉａｌ  ｓｅａｍ）を介してエッジ領域において互いに接続される２つのエアバッグ層（織物部分）によって製造され得る。特に、膨張可能なチャンバ１１は、同様に２つのエアバッグを互いに接続し、かつ、エアバッグを膨張可能なチャンバ１１に分ける、複数の連続した継目によって区切られる。
【００３４】
エアバッグ１の伸長した長さ、つまり外側テンションストラップ５１及び内側テンションストラップ５２を配置する前に、平坦に広がった状態における膨張可能なチャンバ１１が展開する主な方向に沿ったエアバッグ１の展開は、後で膨張可能なチャンバ１１の第１部分１１１及び第２部分１１２に固定される外側テンションストラップ５１及び内側テンションストラップ５２の長さよりも長い。外側テンションストラップ５１及び内側テンションストラップ５２をエアバッグに固定した後、展開（充満）した状態におけるエアバッグ１の湾曲した形状がこのようにして得られる。
【００３５】
また、エアバッグ１が３つ以上のエアバッグ層から製造されることも考えられる。これにより、例えば外側テンションストラップ５１及び内側テンションストラップ５２を装着する前に既に、エアバッグが湾曲した形状を有することが実現され得る。特にこの製造方法は、以下で説明される図５に対応するエアバッグの構成で可能になる。
【００３６】
エアバッグ（互いに平行に延出するいくつかのチャンバを有するエアバッグ）の記載した（マットレスのような）構成と、上述の製造方法は、実施例として理解されるにすぎないということが明確に留意される。より一般的に、膨張可能なチャンバ１１の隣接した第１部分１１１又は第２部分１１２によって形成された平面に対して、垂直な展開状態におけるエアバッグ１の膨張可能なチャンバ１１は、厚さＤを有する。厚さＤは、この平面に沿ったエアバッグ１の展開と比較すると小さく（例えば、最大２５０ｍｍ）、これにより、隣接する膨張可能なチャンバ１１の結合体は、比較的平坦な形状で延出する。保護される乗員２と支える車両内部構造物（図１における、車両の座席３の背もたれ）との間の、エアバッグ１によって埋められた空間は、ガス発生器によって埋められた体積よりも小さい。使用された材料の量も、前方の座席の背もたれにおいて支えられる従来型エアバッグの材料の量よりも少ない。
【００３７】
例えば、エアバッグ１の満たすことができる体積の記載された比較的平坦な構成は、スペーサー又は断続的な継目によって実現することができる。スペーサー又は断続的な継目は、例えばエアバッグをチャンバに分割することなく、膨張可能なチャンバ１１を区切るエアバッグ層の間に配置される。従って、図１及び図２に図示された、いくつかのチャンバの代わりに、エアバッグは上方部分１１１及び下方部分１１２を含む１つの膨張可能なチャンバのみを有すると考えられる。車体幅方向ｙにおいて、例えば、１つのチャンバが図１及び図２のエアバッグの幅と対応する幅を有する。
【００３８】
図３は、２つの外側テンションストラップ５１が単一のボードテンションストラップ５１’によって置き換えられたことに従った、図１及び図２のエアバッグの変更形態を示す。これは、座席３の背もたれに沿ってテンションストラップが外れる危険性を弱めることができ、かつ、高荷重下においてもエアバッグの支持を提供することができる。
【００３９】
図４に従って、２つの外側テンションストラップ５１は、外側テンションストラップ５１に対して横方向に延出するウェブ５１１によって互いに接続される。また、いくつかのウェブも提供され得る。図３に従ったより広い外側テンションストラップの使用に類似し、ウェブは、座席３の背もたれに沿ってテンションストラップが外れる危険性を弱める機能を果たす。
【００４０】
図３及び図４と関連して記載されたような、前方の座席３の背もたれに対面する外側テンションストラップ５１の構成も、内側テンションストラップ５２に適用可能であるということを留意されたい。
【００４１】
図５は、本発明に従った車両のエアバッグの更なる実施形態を示す。エアバッグ１は前述の例示的な実施形態とは対照的に、内側テンションストラップを有さない。その機能は、膨張可能なチャンバ１１の追加的な膨張可能な領域によって採用される。この追加的な膨張可能な領域は、車体幅軸（ｙ方向）の方向に延出し、かつ、湾曲部１１３のバルジ１１４によって形成される。走行方向において見られるように、バルジ１１４は、各湾曲部１１３と外側テンションストラップ５１との間に位置し、従って乗員２から離れる。バルジ１１４はそれぞれ、乗員２から離れて対面する湾曲した外側を有する。バルジ１１４の代わりに、追加的な別のチャンバがそれぞれ提供され、これらは当然ながら互いに流体接続され得る。また、単一の追加的な膨張可能な領域が提供され、これが膨張可能なチャンバ１１と接続するということも考えられる。また、テンションストラップは完全に省略され、第１部分１１１及び第２部分１１２の角度付き経路だけが追加的な膨張可能な領域（例えば、バルジ１１４の形状）によって生成されるということも考えられる。
【００４２】
上記の例示的な実施形態の要素が、当然ながら互いに組み合わせて用いることもできるということを留意されたい。例えば、図５のバルジである、追加的な膨張可能な領域１１４も図１及び図２のエアバッグにおいて実現され得る。
【符号の説明】
【００４３】
１    エアバッグ
２    乗員
３    座席
４    モジュールハウジング
１０    ルーフ
１１    膨張可能なチャンバ
３１    後方座席
４１    ガス発生器
５１、５１’    外側テンションストラップ
５２    内側テンションストラップ
１１１    第１部分
１１２    第２部分
１１３    湾曲部
１１４    バルジ
５１１    ウェブ
１１１１    第１部分の端部
１１２１    第２部分の端部
【図１】
2015522482.tif 000003
【図２】
2015522482.tif 000004
【図３】
2015522482.tif 000005
【図４】
2015522482.tif 000006
【図５】
2015522482.tif 000007
【国際調査報告】
2015522482.tif 000008
2015522482.tif 000009
2015522482.tif 000010
2015522482.tif 000011